(57)【要約】【課題】温度変化や湿度変化があってもしわ、浮き等の発生を防止できる透過型リアプロジェクションスクリーンを提供することを目的とする。【解決手段】フレネルレンズシート１とレンチキュラーレンズシート２の下部端縁は弾性接着層３１にて固定され、レンチキュラーレンズシート２の上部端縁が保持テープ３の一方の端部と接着層４１にて貼り合わせ固定され、保持テープ３の他方の端部が筐体枠１１ａに接着層４２を介して保持具１２ａ及びネジ１３にて連結・固定されて、自立性のない基材からなるレンズシート２の一端が保持テープ３で吊り下げられた状態で、筐体枠１１ａと保持具１２ａとの間及び筐体枠１１ｂと保持具１２ｂとの間で保持された透過型リアプロジェクションスクリーン。【選択図】図１
2004118166.tif 000002
【特許請求の範囲】
【請求項１】
フレネルレンズシートとレンチキュラーレンズシートを重ね合わせ、周囲を筐体枠と保持具で支持、固定した透過型リアプロジェクションスクリーンにおいて、前記フレネルレンズシート、またはレンチキュラーレンズシートのいずれか一方が自立性を有する基材からなるレンズシート（１）と、他方が自立性のない基材からなるレズシート（２）とで構成されており、前記自立性のない基材からなるレンズシート（１）と前記自立性を有する基材からなるレンズシート（２）とは下部端縁が弾性接着層（３１）で固定され、前記自立性のない基材からなるレンズシート（２）の上部端縁と保持テープ（３）の一方の端部とが接着層（４１）にて固定され、前記保持テープ（３）の他方の端部が筐体枠（１１ａ）に接着層（４２）を介して保持具（１２ａ）及びネジ（１３）にて連結・固定されて、前記自立性のない基材からなるレンズシート（２）の一端が保持テープ（３）で吊り下げられた状態で筐体枠（１１ａ）と保持具（１２ａ）との間及び筐体枠（１１ｂ）と保持具（１２ｂ）との間とで保持されていることを特徴とする透過型リアプロジェクションスクリーン。
【請求項２】
フレネルレンズシートとレンチキュラーレンズシートを重ね合わせ、周囲を筐体枠と保持具で支持、固定された透過型リアプロジェクションスクリーンにおいて、前記フレネルレンズシート、またはレンチキュラーレンズシートのいずれか一方が自立性を有する基材からなるレンズシート（１）と、他方が自立性のない基材からなるレズシート（２）とで構成されており、前記自立性のない基材からなるレンズシート（１）と前記自立性を有する基材からなるレンズシート（２）とは下部端縁が伸び率２００％以上の支持体（３２ａ）上に粘着層（３２ｂ）を形成した片面粘着テープ（３２）を用いてコの字型に接着・固定され、前記自立性のない基材からなるレンズシート（２）の上部端縁と保持テープ（３）の一方の端部とが接着層（４１）にて固定され、前記保持テープ（３）の他方の端部が筐体枠（１１ａ）に接着層（４２）を介して保持具（１２ａ）及びネジ（１３）にて連結・固定されて、前記自立性のない基材からなるレンズシート（２）の一端が保持テープ（３）で吊り下げられた状態で筐体枠（１１ａ）と保持具（１２ａ）との間及び筐体枠（１１ｂ）と保持具（１２ｂ）との間とで保持されていることを特徴とする透過型リアプロジェクションスクリーン。
【請求項３】
前記保持テープ（３）の厚さをＴａ、前記自立性のない基材からなるレンズシート（２）の厚さをＴｂとした時、Ｔａ≦Ｔｂ／４の関係が満たされていることを特徴とする請求項１または２に記載の透過型リアプロジェクションスクリーン。
【発明の詳細な説明】
【０００１】
【発明の属する技術分野】
本発明は、フレネルレンズシートとレンチキュラーレンズシートを重ねた構成の透過型リアプロジェクションスクリーンに関するものであり、このフレネルレンズシートとレンチキュラーレンズシートとが、一方が自立性を有するレンズシートで、他方が自立性のないレンズシートで構成されている透過型リアプロジェクションスクリーンに関する。
【０００２】
【従来の技術】
従来、透過型リアプロジェクションスクリーンは、図３に示すように、フレネルレンズシート５１及びレンチキュラーレンズシート５２はいずれも自立性のある基材で構成されており、フレネルレンズシート５１とレンチキュラーレンズシート５２の両端は筐体枠１１ｃと保持具１２ｃとの間及び筐体枠１１ｄと保持具１２ｄとの間に挟持され、ねじ１３で固定・保持されている。
【０００３】
ここで、フレネルレンズシート５１、レンチキュラーレンズシート５２及び筐体枠１１ｃ及び１１ｄの材質にも関係するが、フレネルレンズシート５１及びレンチキュラーレンズシート５２の材質の熱膨張係数に大きな違いが無く、厚みが同じ程度であれば、フレネルレンズシート５１及びレンチキュラーレンズシート５２を重ね合わせて、筐体枠１１ｃ及び筐体枠１１ｄへ固定・保持した状態で、温度変化や湿度変化によりフレネルレンズシート５１及びレンチキュラーレンズシート５２間の浮き、反りなどが生じても、常温環境下に放置して置くと元の状態に戻るようになっている。
最近透過型リアプロジェクションスクリーンテレビでは、自立性のないフィルム基材からなるフレネルレンズシートやレンチキュラーレンズシートを用いたプロジェクションスクリーンの開発が行われている。
【０００４】
【発明が解決しようとする課題】
一方のレンズシートがフィルムのように自立性のない基材で、他方のレンズシートが自立性のある基材で構成されたプロジェクションスクリーンでは、二方または四方が接着剤等で固定されていると、温度変化や湿度変化による膨張や収縮で、自立性のない基材からなるレンズシートにしわや浮きが生じてしまい、透過型リアプロジェクションテレビに組み込んだ状態では、フォーカスのボケや色ずれが生じることになり画像劣化を招くという問題を有している。
【０００５】
本発明は、フレネルレンズシートとレンチキュラーレンズシートを重ねた構成の透過型リアプロジェクションスクリーンにおいて、一方が自立性を有する基材からなるレンズシートと他方が自立性のない基材からなるレンズシートとで構成された透過型リアプロジェクションスクリーンにおいて、温度変化や湿度変化があってもしわ、浮き等の発生を防止できる透過型リアプロジェクションスクリーンを提供することを目的とする。
【０００６】
【課題を解決するための手段】
本発明に於いて上記課題を達成するため、まず請求項１においては、フレネルレンズシートとレンチキュラーレンズシートを重ね合わせ、周囲を筐体枠と保持具で支持、固定した透過型リアプロジェクションスクリーンにおいて、前記フレネルレンズシート、またはレンチキュラーレンズシートのいずれか一方が自立性を有する基材からなるレンズシート１と、他方が自立性のない基材からなるレズシート２とで構成されており、前記自立性のない基材からなるレンズシート１と前記自立性を有する基材からなるレンズシート２とは下部端縁が弾性接着層３１で固定され、前記自立性のない基材からなるレンズシート２の上部端縁と保持テープ３の一方の端部とが接着層４１にて固定され、前記保持テープ３の他方の端部が筐体枠１１ａに接着層４２を介して保持具１２ａ及びネジ１３にて連結・固定されて、前記自立性のない基材からなるレンズシート２の一端が保持テープ３で吊り下げられた状態で筐体枠１１ａと保持具１２ａとの間及び筐体枠１１ｂと保持具１２ｂとの間とで保持されていることを特徴とする透過型リアプロジェクションスクリーンとしたものである。
【０００７】
また、請求項２においては、フレネルレンズシートとレンチキュラーレンズシートを重ね合わせ、周囲を筐体枠と保持具で支持、固定された透過型リアプロジェクションスクリーンにおいて、前記フレネルレンズシート、またはレンチキュラーレンズシートのいずれか一方が自立性を有する基材からなるレンズシート１と、他方が自立性のない基材からなるレズシート２とで構成されており、前記自立性のない基材からなるレンズシート１と前記自立性を有する基材からなるレンズシート２とは下部端縁が伸び率２００％以上の支持体３２ａ上に粘着層３２ｂを形成した片面粘着テープ３２を用いてコの字型に接着・固定され、前記自立性のない基材からなるレンズシート２の上部端縁と保持テープ３の一方の端部とが接着層４１にて固定され、前記保持テープ３の他方の端部が筐体枠１１ａに接着層４２を介して保持具１２ａ及びネジ１３にて連結・固定されて、前記自立性のない基材からなるレンズシート２の一端が保持テープ３で吊り下げられた状態で筐体枠１１ａと保持具１２ａとの間及び筐体枠１１ｂと保持具１２ｂとの間とで保持されていることを特徴とする透過型リアプロジェクションスクリーンとしたものである。
【０００８】
また、請求項３においては、前記保持テープ３の厚さをＴａ、前記自立性のない基材からなるレンズシート２の厚さをＴｂとした時、Ｔａ≦Ｔｂ／４の関係が満たされていることを特徴とする請求項１または２に記載の透過型リアプロジェクションスクリーンとしたものである。
【０００９】
【発明の実施の形態】
以下、本発明の実施の形態につき説明する。
図１は、請求項１に係る本発明の透過型リアプロジェクションスクリーンの一実施例を示す模式構成断面図である。図２（ａ）は、請求項２に係る本発明の透過型リアプロジェクションスクリーンの一実施例を示す模式構成断面図である。
図２（ｂ）は、片面接着テープの構成の一例を示す模式構成断面図である。
請求項１に係る透過型リアプロジェクションスクリーンは、図１に示すように、自立性のある基材からなるフレネルレンズシート１と、フィルム等の自立性のない基材からなるレンチキュラーレンズシート２からなり、フレネルレンズシート１とレンチキュラーレンズシート２の下部端縁は弾性接着層３１にて固定され、レンチキュラーレンズシート２の上部端縁が保持テープ３の一方の端部と接着層４１にて貼り合わせ固定され、保持テープ３の他方の端部が筐体枠１１ａに接着層４２を介して保持具１２ａ及びネジ１３にて連結・固定されて、自立性のない基材からなるレンズシート２の一端が保持テープ３で吊り下げられた状態で、筐体枠１１ａと保持具１２ａとの間と及び筐体枠１１ｂと保持具１２ｂとの間で保持されている。
このような構造にすることにより、フィルム等の自立性のない基材からなるレンチキュラーレンズシート２は保持テープ３によって絶えず引っぱられた状態で筐体枠と保持具との間で保持されており、温度、湿度変化により伸縮が生じても、しわ、浮き等が発生しない構成になっている。
【００１０】
請求項２に係る透過型リアプロジェクションスクリーンは、図２（ａ）に示すように、自立性のある基材からなるフレネルレンズシート１と、フィルム等の自立性のない基材からなるレンチキュラーレンズシート２からなり、フレネルレンズシート１とレンチキュラーレンズシート２の下部端縁は伸び率が２００％以上の支持体３２ａ上に粘着層３２ｂを形成した片面粘着テープ３２を用いてコの字型に接着・固定され、レンチキュラーレンズシート２の上部端縁が保持テープ３の一方の端部と接着層４１にて貼り合わせ固定され、保持テープ３の他方の端部が筐体枠１１ａに接着層４２を介して保持具１２ａ及びネジ１３にて連結・固定されて、自立性のない基材からなるレンズシート２の一端が保持テープ３で吊り下げられた状態で、筐体枠１１ａと保持具１２ａとの間と及び筐体枠１１ｂと保持具１２ｂとの間で保持されている。
【００１１】
上記のような構造にすることにより、フレネルレンズシート１とレンチキュラーレンズシート２との一端が固定されスクリーンのレンチキュラーレンズシート２を保持テープ３によって絶えず引っぱった状態で筐体枠と保持具との間で保持されているため、温度、湿度変化により伸縮が生じても、しわ、浮き等が発生しない構成になっている。
【００１２】
請求項３に係る発明は、前記保持テープ３の厚さをＴａ、前記自立性のない基材からなるレンズシート２の厚さをＴｂとした時、Ｔａ≦Ｔｂ／４の関係が満たされているようにしたものである。
これは、絶えず引っ張った状態で筐体枠の上辺にレンズシート２を接着させ、シワ発生を無くすために接着層に制限を付けてもシワが発生してしまう。ここで、多くの実験を行ったところ、レンズシート２と保持テープ３の間にＴａ≦Ｔｂ／４という関係を保てば、レンズシート２で発生したシワを保持テープ３へ逃がすことにより、レンズシート２のシワが発生しないことがわかった。
【００１３】
上記本発明で使用されるレンチキュラーレンズシート２の自立性のない基材は、ポリエチレンテレフタレート、ポリカーボネート等のフィルム基材が挙げられる。
また、フレネルレンズシート１の自立性のある基材は、厚みにもよるがアクリル系、ポリスチレン系、ポリカーボネート等のプラスチック基板が挙げられる。
【００１４】
また、保持テープ３の材質は、ポリエチレンテレフタレート、ポリプロピレン等が挙げられ、レンチキュラーレンズシートに用いた基材と同じ材質系が望ましい。
【００１５】
また、弾性接着層３１は、ゴム状の弾性体からなる粘着材で形成されている。さらに、片面粘着テープ３２は伸び率が２００％以上の支持体３２ａの片面に粘着層３２ｂを形成したものである。
【００１６】
【実施例】
以下実施例により本発明を詳細に説明する。
＜実施例１＞
まず、シートサイズ９８０×５５０ｍｍで２ｍｍ厚の自立性のあるアクリルスチレン重合体基材からなるフレネルレンズシート１とシートサイズ９８５×５４５ｍｍで１８８μｍ厚の自立性のないポリエチレンテレフタレート（ＰＥＴ）フィルム基材からなるレンチキュラーレンズシート２とを用い、フレネルレンズシート１とレンチキュラーレンズシート２の下部端縁を０．７ｍｍ厚の発泡ポリエチレン両面に粘着層を形成した両面テープからなる弾性接着層３１で固定した。次に、下部端縁が弾性接着層３１で固定されたレンチキュラーレンズシート２の上端と幅５４５ｍｍ、２５μｍ厚のポリエチレンテレフタレート（ＰＥＴ）基材からなる保持テープ３一方の端部とをアクリル系接着層４１で固定し、さらに、保持テープ３他方の端部をアクリル系接着層４２を介して保持具１２ａ及びネジ１３にて筐体枠１１ａに連結・固定し、フレネルレンズシート１とレンチキュラーレンズシート２の下部端縁が弾性接着層３１で固定されたスクリーンのチキュラーレンズシート２が保持テープ３にて吊り下げられ、筐体枠とレンチキュラーレンズシート２との隙間が０．５ｍｍで保持された実施例１の透過型リアプロジェクションスクリーンを得た。
【００１７】
＜実施例２＞
まず、実施例１と同様なフレネルレンズシートとレンチキュラーレンズシートを用い、フレネルレンズシート１とレンチキュラーレンズシート２の下部端縁を伸び率３００％、０．７ｍｍ厚のポリオレフィン系支持体３２ａに２０μｍ厚の粘着層３２ｂを形成した片面粘着テープ３２を用いてコの字型に固定した。
次に、下部端縁が片面粘着テープ３２でコの字型に固定されたレンチキュラーレンズシート２の上端と幅５４５ｍｍ、２５μｍ厚のポリエチレンテレフタレート（ＰＥＴ）基材からなる保持テープ３一方の端部とをアクリル系接着層４１で固定し、さらに、保持テープ３他方の端部をアクリル系接着層４２を介して保持具１２ａ及びネジ１３にて筐体枠１１ａに連結・固定し、フレネルレンズシート１とレンチキュラーレンズシート２の下部端縁が片面粘着テープ３２でコの字型に固定されたスクリーンのチキュラーレンズシート２が保持テープ３にて吊り下げられ、筐体枠とレンチキュラーレンズシート２との隙間が０．５ｍｍで保持された実施例２の透過型リアプロジェクションスクリーンを得た。
【００１８】
＜比較例１＞
まず、実施例１と同様なフレネルレンズシートとレンチキュラーレンズシートを用い、フレネルレンズシート１とレンチキュラーレンズシート２の下部端縁を伸び率３００％、０．７ｍｍ厚のポリオレフィン系支持体３２ａに２０μｍ厚の粘着層３２ｂを形成した片面粘着テープ３２を用いてコの字型に固定した。
幅５４５ｍｍ、５０μｍ厚のポリエチレンテレフタレート（ＰＥＴ）基材からなる保持テープ３を用いて実施例１と同様な方法でレンチキュラーレンズシート２及び筺体枠に１１ａに固定し、比較例１の透過型リアプロジェクションスクリーンを得た
【００１９】
＜比較例２＞
まず、実施例１と同様なフレネルレンズシートとレンチキュラーレンズシートを用い、フレネルレンズシート１とレンチキュラーレンズシート２の下部端縁を伸び率３００％、０．７ｍｍ厚のポリオレフィン系支持体３２ａに２０μｍ厚の粘着層３２ｂを形成した片面粘着テープ３２を用いてコの字型に固定した。
幅５４５ｍｍ、１００μｍ厚のポリエチレンテレフタレート（ＰＥＴ）基材からなる保持テープ３を用いて実施例１と同様な方法でレンチキュラーレンズシート２及び筺体枠に１１ａに固定し、比較例２の透過型リアプロジェクションスクリーンを得た。
【００２０】
＜比較例３＞
まず、実施例１と同様なフレネルレンズシートとレンチキュラーレンズシートを用い、フレネルレンズシート１とレンチキュラーレンズシート２の下部端縁を伸び率３００％、０．７ｍｍ厚のポリオレフィン系支持体３２ａに２０μｍ厚の粘着層３２ｂを形成した片面粘着テープ３２を用いてコの字型に固定した。
幅５４５ｍｍ、１８８μｍ厚のポリエチレンテレフタレート（ＰＥＴ）基材からなる保持テープ３を用いて実施例１と同様な方法でレンチキュラーレンズシート２及び筺体枠に１１ａに固定し、比較例３の透過型リアプロジェクションスクリーンを得た。
【００２１】
＜比較例４＞
まず、実施例１と同様なフレネルレンズシートとレンチキュラーレンズシートを用い、フレネルレンズシート１とレンチキュラーレンズシート２の下部端縁を伸び率１６０％、０．７ｍｍ厚のポリプロピレン系支持体３２ａに２０μｍ厚の粘着層３２ｂを形成した片面粘着テープ３２を用いてコの字型に固定した。
幅５４５ｍｍ、５０μｍ厚のポリエチレンテレフタレート（ＰＥＴ）基材からなる保持テープ３を用いて実施例１と同様な方法でレンチキュラーレンズシート２及び筺体枠に１１ａに固定し、比較例４の透過型リアプロジェクションスクリーンを得た。
【００２２】
上記の実施例及び比較例で得られた透過型リアプロジェクションスクリーンを６０℃環境下に２４時間放置し、２３℃環境下に戻し２４時間放置した後外観検査をした結果を表１に示す。
【００２３】
【表１】
2004118166.tif 000003
【００２４】
実施例１及び実施例２で得られた透過型リアプロジェクションスクリーンにはスクリーンの上長辺、下長辺のしわ及びスクリーン中心付近での浮きの発生は見られなかった。
これに対し、比較例１〜比較例３は保持テープの厚さを請求項３の範囲から厚い方向へずらしたもので、いずれもスクリーンの上長辺でしわが、スクリーン中心付近での浮きが発生した。
比較例４は、伸び率が１６０％のポリプロピレン系支持体３２ａからなる片面接着テープ３２を用いてフレネルレンズシート１とレンチキュラーレンズシート２の下部端縁をコの字型に固定したもので、スクリーンの下長辺でしわが、スクリーン中心付近での浮きが発生した。
上記の結果より、本発明の透過型リアプロジェクションスクリーンでは、温、湿度変化を与えても、スクリーン上でのしわ、浮きが発生しないことが確認された。
【００２５】
【発明の効果】
本発明の透過型リアプロジェクションスクリーンは、自立性のない基材からなるレンズシートを絶えず保持テープにより引っぱった状態にしているため、温度、湿度の変化で自立性のない基材からなるレンズシートに発生するしわ、浮きを防止できる。
さらに、従来の筐体枠や保持具を大幅に改良しないで、本発明の透過型リアプロジェクションスクリーンを作製することができる。
【図面の簡単な説明】
【図１】請求項１に係る本発明の透過型リアプロジェクションスクリーンの一実施例を示す模式構成断面図である。
【図２】（ａ）は、請求項２に係る本発明の透過型リアプロジェクションスクリーンの一実施例を示す模式構成断面図である。（ｂ）は、片面接着テープの構成の一例を示す説明図である。
【図３】従来の透過型スクリーンの構成を示す説明図である。
【符号の説明】
１……自立性を有するレンズシート
２……自立性のないレンズシート
３……保持テープ
１１ａ、１１ｂ、１１ｃ、１１ｄ……筐体枠
１２ａ、１２ｂ、１２ｃ、１２ｄ……保持枠
１３……ねじ
３１……弾性接着層
３２……片面接着テープ
３２ａ……支持体
３２ｂ……粘着層
４１、４２……接着層
５１……フレネルレンズシート
５２……レンチキュラーレンズシート
【図１】
2004118166.tif 000004
【図２】
2004118166.tif 000005
【図３】
2004118166.tif 000006